(57)【特許請求の範囲】
【請求項１】
支持体と、球体とを含むボールチェア組立構造であって、
前記支持体は座部と脚座体を備え、前記座部と前記脚座体は昇降調整可能な支柱を介して相互に連結され、前記座部は、概ね内側に凹陥した形状に呈する有底でない収容部であり、
前記球体は、前記支持体の前記座部に収容されて設置される、弾性を持つバランスボールであり、
前記座部の底部中央に、前記支柱の上端に連結するための枢結部が設けられ、かつ前記枢結部の内壁を被覆して金属リングが設置され、前記座部の底部の前記枢結部近くに調整部材の取り付けに用いる少なくとも１つの開口が設けられ、前記支柱の上端に押圧部が設けられ、かつ前記調整部材を介して前記支柱の押圧部を連動して押圧し、昇降動作を達成することを特徴とする、ボールチェア組立構造。
【請求項２】
前記座部の上端に少なくとも１つのフレームが設置され、前記フレームが環状形のフレームであり、かつ前記球体が前記フレームにより包接されて位置規制されることを特徴とする、請求項１に記載のボールチェア組立構造。
【請求項３】
前記座部と前記フレームが一体成型で成ることを特徴とする、請求項２に記載のボールチェア組立構造。
【請求項４】
前記座部が前記収容部の位置に等間隔で複数の嵌合部を備え、前記フレームの取り付けに用いられ、前記フレームの内側に下に向かって複数の嵌合ツメが設けられ、前記フレームを前記座部上端に嵌置して固定するために用いられることを特徴とする、請求項２に記載のボールチェア組立構造。
【請求項５】
前記調整部材がハンドル体であり、その一端側が前記開口から挿入されて枢支され、その一端側が前記枢結部の上端まで延伸されて前記支柱の押圧部に重ねられ、さらに蓋板が前記収容部の底部に取り付けられ、前記調整部材を規制することを特徴とする、請求項１に記載のボールチェア組立構造。
【請求項６】
前記座部底部の前記枢結部近くの位置に対称の２つの開口が設置され、前記調整部材が円環体を備え、前記円環体の内径に対称に少なくとも２つのリンク棒が設置され、かつ前記２つのリンク棒の内側端部が前記２つの開口から前記座部内部に挿入され、さらに押さえ板で前記２つのリンク棒が相互に連結され、かつ前記押さえ板が前記支柱の押圧部に重ねて設置され、最後に蓋板が前記収容部底部に取り付けられ、前記２つのリンク棒及び前記押さえ板を規制することを特徴とする、請求項１に記載のボールチェア組立構造。
【請求項７】
さらにカバー体を含み、前記カバー体が前記球体外側を被覆し、前記座部まで下に延伸されて固定されたことを特徴とする、請求項１に記載のボールチェア組立構造。
【請求項８】
前記座部が外側壁面位置に複数の通部を備え、前記複数の通部がいずれも掛止リブを備え、前記カバー体の下端部の開口部に複数の掛止リングが設置され、前記掛止リングを前記掛止リブに掛けることで前記カバー体が固定されたことを特徴とする、請求項７に記載のボールチェア組立構造。
【請求項９】
さらに底部殼体を含み、前記底部殼体が下から上に前記座部底部に組み込まれ、同時に前記カバー体の下端部を被覆し、かつ前記底部殼体の底部に前記座部の枢結部に相通された挿通孔が設けられたことを特徴とする、請求項７または８に記載のボールチェア組立構造。
【請求項１０】
前記底部殼体が側辺部にさらに少なくとも１つの通口を備え、前記調整部材を通過させて前記座部に取り付けるために用いられることを特徴とする、請求項９に記載のボールチェア組立構造。
【発明の詳細な説明】
【技術分野】
【０００１】
本発明はボールチェアの構造に関し、特に、ボールチェア組立構造に関する。
【背景技術】
【０００２】
従来のボールチェアは主に支持座体と球体の組み合わせで成り、前記支持座体はいずれも一体成型方式で環状フレームと環状フレーム周辺のいくつかの脚部で構成され、環状フレームに外径が環状フレームより大きい球体を取り付け、ボールチェアが完成され、使用者が座って姿勢の矯正やポーズの訓練に用いられる。
【０００３】
上述の従来の構造を詳細に見ると、まだいくつかの不足点があることに容易に気づくことができる。主な原因は次に帰することができる。従来のボールチェアの支持座体は一体成型で環状フレームと複数の脚部を備えており、支持座体の使用高さがすでに制限されているため、使用者のスタイルの違いに応じて調整することができず、往々にして構造の実用性に欠ける。さらに、前記支持座体は環状フレームのみで球体を位置規制しており、球体を確実に取り付けることはできるものの、実際に座って使用するとき、球体が人体の重力で下圧されて下に沈み込んだ状態になり、環状フレーム底部が空洞状となっていて、支持ユニットが設けられていないため、球体が下圧されて変形した後徐々に下に沈み込み、環状フレームを離脱してしまう恐れがあり、安全性に欠けるため、消費者の購買意欲が大幅に削がれてしまっている。
【発明の概要】
【発明が解決しようとする課題】
【０００４】
これに鑑み、本発明の発明者は関連製品の製造開発と設計に従事した長年の経験に基づき、上述の目標について詳細な設計と慎重な評価を行い、確実に実用性を備えた本発明を得るに至ったものである。
【０００５】
本発明の解決する技術的問題は、現有技術に存在する上述の欠点に対し、ボールチェア組立構造を提供することである。
【課題を解決するための手段】
【０００６】
本発明のボールチェア組立構造は、支持体と、球体と、調整部材を含み、そのうち、前記支持体が座部と脚座体を備え、前記座部と前記脚座体間が昇降調整可能な支柱により相互に連結され、前記支柱が上端に押圧部を備え、かつ前記座部に枢設された調整部材により支柱の押圧部を押して昇降動作をさせることができ、前記座部は概ね内側に凹陥した形状であり、かつ収容部を備え、前記座部上端にフレームが設置され、前記球体が前記支持体の前記座部に収容されて設置され、かつ前記フレームにより包接されて位置規制される。上述の構造により、ボールチェア組立構造が構成される。
【発明の効果】
【０００７】
先行技術と比較して、本発明は次のような効果を備えている。（一）、前記ボールチェアの支持体が座部と脚座体を含み、かつ前記座部及び前記脚座体間が昇降調整可能な支柱により連結され、前記ボールチェアの使用時、使用者の体格に応じて昇降調整することができ、使用者が座ったり、訓練したりする際に有利であり、各種体型の使用者に適用でき、構造の実用性が向上される。
【０００８】
（二）、前記ボールチェアは使用者が自ら組立て、分解することができ、前記ボールチェアを包装した箱を集めたとき全体の体積を効果的に減少でき、包装、運送に有利であるだけでなく、製造と輸送コストを大幅に削減できる。さらに、より簡便で迅速な組立方法を提供することで使用者が自ら組み立てられ、組立使用、分解収納の利便性が高められており、さらに組み立てたときの構造安定性が保たれ、使用上の安全性が向上される。
【０００９】
（三）、前記ボールチェアは座部にフレームを組み合わせることで球体の収容・設置と位置規制が達せられ、球体の安定性が大幅に高められており、かつ前記球体及び座部をカバー体で覆い、底部殼体を組み合わせて嵌合・規制することでより確実に球体が座部から離脱しないようにすることができ、座ったときの安定性と安全性を向上できる。
【図面の簡単な説明】
【００１０】
【図１】本発明の立体図である。
【図２】本発明の分解図である。
【図３】本発明の座部の一体成型を示す立体図である。
【図４】本発明の組立断面図である。
【図５】本発明の組立部分拡大断面図である。
【図６】本発明の別の実施例の分解図である。
【図７】本発明の別の実施例の組立後立体図である。
【図８】本発明の別の実施例の組立断面図である。
【図９】本発明の別の実施例の部分拡大断面図である。
【図１０】本発明のさらに別の実施例の分解図である。
【図１１】本発明のさらに別の実施例の組立断面図である。
【図１２】本発明のさらに別の実施例の部分拡大断面図である。
【発明を実施するための形態】
【００１１】
本発明の目的、特徴、効果についてより理解と認識を深められるように、以下図面を組み合わせて詳細に説明する。
【実施例１】
【００１２】
まず、図１、図２と図４、図５に示すように、本発明のボールチェア組立構造は、支持体１０、球体２０、調整部材３０を含み、前記支持体１０が座部１１と脚座体１２を備え、前記座部１１と前記脚座体１２間が昇降調整可能な支柱１３を介して相互に連結され、前記支柱１３は上端に押圧部１３１を備え、かつ座部１１に枢設された調整部材３０により支柱１３の押圧部１３１を押して昇降動作をさせることができ、前記座部１１は概ね内側に凹陥した形状であり、かつ収容部１１１を備え、前記収容部１１１の底部中央に金属リング１１３が設置され、座部１１底部の枢結部１１２近くに調整部材３０を取り付けるための少なくとも１つの開口１１４が設けられ、また座部１１の上端にさらにフレーム１４が設置され、前記フレーム１４は環状形のフレーム１４であり、かつ前記フレーム１４と座部１１は一体成型とすることができ（図３参照）、また、組立方式で組立結合してもよく、そのうち、前記座部１１は収容部１１１の位置に等間隔で複数の嵌合部１１５を備え、前記フレーム内側に下に向かって複数の嵌合ツメ１４１が設けられ、これにより前記フレームを座部１１上端に嵌置して固定することができる。前記球体２０は支持体１０の座部１１に収容されて設置され、かつフレーム１４により包接されて位置規制される。前記調整部材３０はハンドル体であり、その一端が前記開口１１４から挿入されて枢支され、前記端部が前記枢結部１１２上端まで延伸されて前記支柱１３の押圧部１３１に重ねられ、さらに蓋板３１が前記収容部１１１底部に取り付けられ、前記調整部材３０を規制する。上述の構造により、ボールチェア組立構造が完成される。
【００１３】
その構造の実際の使用状態は、図４、図５に示すように、前記ボールチェアの球体２０は使用者が座るために用いられ、かつ前記球体２０は表面が弧形の隆起状であり、使用者が仕事や読書をするときに使用者のよくない姿勢を矯正し、腰痛を緩和して、脊椎の健康を回復させるほか、同時にバランスボールの訓練を行い、体幹の筋力を高め、バランスと身体の協調性を改善することができ、かつ体幹の筋力を高めることで平時の座ったときと立ったときの姿勢を改善し、バランス感覚を高めると共に背中を痛めることがないよう予防することができる。また、前記支持体１０は昇降調整可能な支柱１３により前記脚座体１２と前記座部１１が連結されており、調整部材３０により支柱１３の押圧部１３１を押して連動昇降させることができる。支柱１３の押圧部１３１が調整部材３０により押され、かつ下圧重量が支柱１３の上昇力より小さいとき、前記座部１１は支柱１３によって押し上げられ、逆に座ったときの重量が支柱１３の上昇力より大きいときは、支柱１３が圧縮されて下に下がり、これによりボールチェアの昇降調整を達することができ、使用者の体格条件に合わせて適切な高さに調整し、使用者が座ったときの高さに合わせ、かつ適した姿勢を保たせることで、ボールチェアの使用上の実用性を大幅に向上することができる。また、座ったとき両足を内側に窄めて脚座体１２上を踏み、足裏のリラックスと姿勢の調整を補助することもできる。
【実施例２】
【００１４】
別の実施例において、図６、図７と図８、図９に示すように、前記座部１１底部の前記枢結部１１２近くの位置に対称の２つの開口１１４が設置され、前記調整部材３０は円環体３２を備え、前記円環体３２の内径に対称に少なくとも２つのリンク棒３３が設置され、かつ前記２つのリンク棒３３の内側端部が前記２つの開口１１４から前記座部１１内部に挿入され、さらに押さえ板３４で前記２つのリンク棒３３が相互に連結され、かつ前記押さえ板３４が前記支柱１３の押圧部１３１に重ねて設置され、最後に蓋板３１が前記収容部１１１底部に取り付けられ、前記２つのリンク棒３３及び前記押さえ板３４を規制する。２つのリンク棒３３の動きを通じて押さえ板３４により支柱１３の押圧部１３１を下に押圧させ、ボールチェアの昇降調整を達することができ、かつ前記２つのリンク棒３３はいずれも円環体３２の内径に固定されているため、円環体３２の動きを通じてリンク棒３３が連動され、押さえ板３４の作動と押圧を達成する。また前記調整部材３０は円方向に連動する使用状態を備え、調整部材３０の動きによる調整の利便性が向上される。
【実施例３】
【００１５】
さらに別の実施例において、図１０、図１１、図１２に示すように、前記ボールチェアはさらにカバー体４０と底部殼体５０を含み、前記カバー体４０は球体２０の外側を被覆し、前記座部１１まで下に延伸されて固定される。前記底部殼体５０は下から上に前記座部１１底部に組み込まれ、同時に前記カバー体４０の下端部を被覆する。そのうち、前記座部１１は外側壁面位置に複数の通部１１６が設けられ、前記複数の通部１１６はいずれも掛止リブ１１７を備え、前記カバー体４０の下端部の開口１１４部に複数の掛止リング４１が設置され、カバー体４０で球体２０を被覆して下に座部１１まで引っ張り延伸したとき、掛止リング４１を通部１１６の掛止リブ１１７に掛けることでカバー体４０を固定し、最後に底部殼体５０を座部１１底部に組み込んで、カバー体４０及び底部殼体５０の取り付けを完了することができる。球体２０及び座部１１がカバー体４０及び底部殼体５０により構造の全体性を保ち、球体２０が座部１１から離脱する恐れをより一層防止して、座ったときの安定性と安全性をさらに向上することができる。また、前記底部殼体５０は底部に前記座部１１の枢結部１１２に相通された挿通孔５１が設けられ、支柱１３上に組み付けることができ、底部殼体５０は側辺部にさらに少なくとも１つの通口５２が設けられ、前記調整部材３０を通過させて前記座部１１に取り付けることができる。
【００１６】
上述の具体的な実施例の構造により、次のような効果を得ることができる。（一）、前記ボールチェアの支持体１０が座部１１と脚座体１２を含み、かつ前記座部１１及び前記脚座体１２間が昇降調整可能な支柱１３により連結され、前記ボールチェアの使用時、使用者の体格に応じて昇降調整することができ、使用者が座ったり、訓練したりする際に有利であり、各種体型の使用者に適用でき、構造の実用性が向上される。
【００１７】
（二）、前記ボールチェアは使用者が自ら組立て、分解することができ、前記ボールチェアを包装した箱を集めたとき全体の体積を効果的に減少でき、包装、運送に有利であるだけでなく、製造と輸送コストを大幅に削減できる。さらに、より簡便で迅速な組立方法を提供することで使用者が自ら組み立てられ、組立使用、分解収納の利便性が高められており、さらに組み立てたときの構造安定性が保たれ、使用上の安全性が向上される。
【００１８】
（三）、前記ボールチェアは座部１１にフレーム１４を組み合わせることで球体２０の収容・設置と位置規制が達せられ、球体２０の安定性が大幅に高められており、かつ前記球体２０及び座部１１をカバー体４０で覆い、底部殼体５０を組み合わせて嵌合・規制することでより確実に球体２０が座部１１から離脱しないようにすることができ、座ったときの安定性と安全性を向上できる。
【００１９】
上述をまとめると、本発明はこれまでに内構造設計で、確実に改良された発明内容を備えており、同時に産業上の利用性と進歩性を達成することができるとともに、本発明はまだいかなる刊行物にも掲載されておらず、新規性を備えており、特許法関連法律の規定を満たしているため、法に基づきここに特許を出願するものである。
【００２０】
以上の説明は、本発明の最良の実施例に基づくものであり、これらを以って本発明の実施の範囲を限定することはできず、本発明の特許請求の範囲に基づいた同等効果の変化や修飾はすべて本発明の特許範囲内に含まれる。
【符号の説明】
【００２１】
１０  支持体
１１  座部
１１１  収容部
１１２  枢結部
１１３  金属リング
１１４  開口
１１５  嵌合部
１１６  通部
１１７  掛止リブ
１２  脚座体
１３  支柱
１３１  押圧部
１４  フレーム
１４１  嵌合ツメ
２０  球体
３０  調整部材
３１  蓋板
３２  円環体
３３  リンク棒
３４  押さえ板
４０  カバー体
４１  掛止リング
５０  底部殼体
５１  挿通孔
５２  通口
【図１】
0006643278.tif 000002
【図２】
0006643278.tif 000003
【図３】
0006643278.tif 000004
【図４】
0006643278.tif 000005
【図５】
0006643278.tif 000006
【図６】
0006643278.tif 000007
【図７】
0006643278.tif 000008
【図８】
0006643278.tif 000009
【図９】
0006643278.tif 000010
【図１０】
0006643278.tif 000011
【図１１】
0006643278.tif 000012
【図１２】
0006643278.tif 000013